(57)【要約】【課題】他の決済処理装置のカードリーダと交換可能に、カードリーダのＩＤを登録できる決済処理装置、料金収受端末機、決済処理方法、及びプログラムを提供する。【解決手段】決済処理装置は、決済部と、カードリーダのＩＤが登録される登録部と、カードリーダの接続を検知した場合に、カードリーダのＩＤが登録部に登録されているか否かを判定する判定部と、登録部に登録されていなかった場合に、決済部での決済処理を停止する停止部と、カードリーダの故障通知を受け付けた場合に、情報を他の決済処理装置に送信する送信部と、送信に対する応答として他の決済処理装置から受け付けたカードリーダのＩＤを登録部に新たに登録する登録処理部と、を備える。【選択図】図２
2020154541.tif 000002
【特許請求の範囲】
【請求項１】
カードリーダが接続されて使用される決済処理装置であって、
前記カードリーダで読み取られたカード媒体に対し、決済処理を行う決済部と、
前記カードリーダのＩＤが登録される登録部と、
前記カードリーダの接続を検知した場合に、前記カードリーダのＩＤが前記登録部に登録されているか否かを判定する判定部と、
前記登録部に登録されていなかった場合に、前記決済部での決済処理を停止する停止部と、
前記カードリーダの故障通知を受け付けた場合に、情報を他の決済処理装置に送信する送信部と、
前記送信に対する応答として前記他の決済処理装置から受け付けたカードリーダのＩＤを前記登録部に新たに登録する登録処理部と、
を備える決済処理装置。
【請求項２】
前記送信部が、前記情報として、接続されている前記カードリーダのＩＤを、前記他の決済処理装置に送信する請求項１に記載の決済処理装置。
【請求項３】
取り外された前記カードリーダが前記他の決済処理装置に接続されているか否かの問い合わせを行う問合部をさらに備え、
前記停止部は、取り外された前記カードリーダが接続されていることを示す応答を前記他の決済処理装置から受け付けるまで前記決済処理を停止する請求項１又は２に記載の決済処理装置。
【請求項４】
検知された前記カードリーダのＩＤと、前記他の決済処理装置から取り外された前記カードリーダのＩＤと、を照合する照合部をさらに備える請求項１から３のいずれか一項に記載の決済処理装置。
【請求項５】
請求項１から４のいずれか一項に記載の決済処理装置と、
前記カードリーダと、
を備える料金収受端末機。
【請求項６】
カードリーダが接続されて使用される決済処理装置であって、前記カードリーダで読み取られたカード媒体に対し、決済処理を行う決済部と、前記カードリーダのＩＤが登録される登録部と、前記カードリーダの接続を検知した場合に、前記カードリーダのＩＤが前記登録部に登録されているか否かを判定する判定部と、前記登録部に登録されていなかった場合に、前記決済部での決済処理を停止する停止部と、を備える決済処理装置に接続される前記カードリーダの故障通知を受け付けた場合に、情報を他の決済処理装置に送信するステップと、
前記送信に対する応答として前記他の決済処理装置から受け付けたカードリーダのＩＤを前記登録部に新たに登録するステップと、
を含む処理方法。
【請求項７】
カードリーダが接続されて使用される決済処理装置であって、前記カードリーダで読み取られたカード媒体に対し、決済処理を行う決済部と、前記カードリーダのＩＤが登録される登録部と、前記カードリーダの接続を検知した場合に、前記カードリーダのＩＤが前記登録部に登録されているか否かを判定する判定部と、前記登録部に登録されていなかった場合に、前記決済部での決済処理を停止する停止部と、を備える決済処理装置のコンピュータに、
前記カードリーダの故障通知を受け付けた場合に、情報を他の決済処理装置に送信するステップと、
前記送信に対する応答として前記他の決済処理装置から受け付けたカードリーダのＩＤを前記登録部に新たに登録するステップと、
を実行させるプログラム。
【発明の詳細な説明】
【技術分野】
【０００１】
本発明は、決済処理装置、料金収受端末機、処理方法、及びプログラムに関する。
【背景技術】
【０００２】
近年、決済されるカード媒体の情報を読み取り可能なカードリーダが、決済処理装置に交換可能に接続されて利用されることが知られている。
他方、部品が装置に交換可能に接続される場合、所定の部品が接続されていることが望まれる。
例えば、特許文献１には、作業機械に搭載される部品のＩＤを管理し、所定の部品か否かを判定するシステムが開示されている。
【先行技術文献】
【特許文献】
【０００３】
【特許文献１】特開２０１３−２３２２２３号公報
【発明の概要】
【発明が解決しようとする課題】
【０００４】
特許文献１に開示された技術は、作業機械で使用される部品から取得したＩＤと、予め登録されている部品のＩＤとを照合することによって判定している。
しかし、例えば予め登録されている部品のＩＤが、他の装置で使用されている部品のＩＤと異なる場合、他の装置の部品と交換すると、所定の部品でないと判定されることがある。
このため、特許文献１に開示された技術のように、決済処理装置に登録されているカードリーダのＩＤでカードリーダを管理すると、他の決済処理装置のカードリーダとの交換ができないことがある。
【０００５】
本発明は、他の決済処理装置のカードリーダと交換可能に、カードリーダのＩＤを登録できる決済処理装置、料金収受端末機、処理方法、及びプログラムを提供することを目的とする。
【課題を解決するための手段】
【０００６】
第１の態様は、カードリーダ（４０）が接続されて使用される決済処理装置（３０）であって、前記カードリーダで読み取られたカード媒体に対し、決済処理を行う決済部（３１）と、前記カードリーダのＩＤが登録される登録部（３２）と、前記カードリーダの接続を検知した場合に、前記カードリーダのＩＤが前記登録部に登録されているか否かを判定する判定部（３３）と、前記登録部に登録されていなかった場合に、前記決済部での決済処理を停止する停止部（３４）と、前記カードリーダの故障通知を受け付けた場合に、情報を他の決済処理装置に送信する送信部（３５）と、前記送信に対する応答として前記他の決済処理装置から受け付けたカードリーダのＩＤを前記登録部に新たに登録する登録処理部（３６）と、を備える決済処理装置である。
【０００７】
本態様によれば、決済処理装置は、カードリーダの故障通知を受け付けた場合に、情報を他の決済処理装置に送信し、送信に対する応答として他の決済処理装置から受け付けたカードリーダのＩＤを新たに登録する。
このため、決済処理装置では、自身に接続されているカードリーダを、他の決済処理装置で接続されて使用されるカードリーダと交換できる。
例えば、決済処理装置では、他の決済処理装置に接続されていた故障していないカードリーダが接続された場合に、カードリーダのＩＤを登録済みと判定し決済処理できるため、自身に接続されているカードリーダを、他の決済処理装置で接続されて使用されるカードリーダと交換できる。
【０００８】
第２の態様は、前記送信部が、前記情報として、接続されている前記カードリーダのＩＤを、前記他の決済処理装置に送信する第１の態様の決済処理装置である。
【０００９】
本態様によれば、決済処理装置は、他の決済処理装置に対し、自身の決済処理装置から取り外されたカードリーダが接続されているか、否かを確認することができる。
【００１０】
第３の態様は、取り外された前記カードリーダが前記他の決済処理装置に接続されているか否かの問い合わせを行う問合部（３７）をさらに備え、前記停止部は、取り外された前記カードリーダが接続されていることを示す応答を前記他の決済処理装置から受け付けるまで前記決済処理を停止する第１又は第２の態様の決済処理装置である。
【００１１】
本態様によれば、決済処理装置は、取り外されたカードリーダが他の決済処理装置に接続されるまで、決済処理を停止する。
このため、決済処理を再開するためには取り外されたカードリーダが他の決済処理装置に接続される必要があるので、取り外されたカードリーダは、放置されることが無い。
したがって、決済処理装置は、カードリーダの不正改造を抑制できる。
【００１２】
第４の態様は、検知された前記カードリーダのＩＤと、前記他の決済処理装置から取り外された前記カードリーダのＩＤと、を照合する照合部（３９ｂ）をさらに備える第１から第３のいずれかの態様の決済処理装置である。
【００１３】
本態様によれば、決済処理装置は、各カードリーダのＩＤによって、現在接続されているカードリーダが、他の決済処理装置から取り外されたカードリーダか否かを照合できる。
このため、決済処理装置は、簡単に、取り外されたカードリーダが接続されているか否かを確認することができる。
【００１４】
第５の態様は、第１から第４のいずれかの態様の決済処理装置と、前記カードリーダと、を備える料金収受端末機（２０）である。
【００１５】
本態様によれば、料金収受端末機は、カードリーダの故障通知を受け付けた場合に、情報を他の決済処理装置に送信し、送信に対する応答として他の決済処理装置から受け付けたカードリーダのＩＤを新たに登録する。
このため、料金収受端末機では、決済処理装置において、自身に接続されているカードリーダを、他の決済処理装置で接続されて使用されるカードリーダと交換できる。
例えば、料金収受端末機では、決済処理装置において、他の決済処理装置に接続されていた故障していないカードリーダを接続された場合に、カードリーダのＩＤを登録済みと判定し決済処理できるため、決済処理装置において、自身のカードリーダを、他の決済処理装置で接続されて使用されるカードリーダと交換できる。
【００１６】
第６の態様は、カードリーダが接続されて使用される決済処理装置であって、前記カードリーダで読み取られたカード媒体に対し、決済処理を行う決済部と、前記カードリーダのＩＤが登録される登録部と、前記カードリーダの接続を検知した場合に、前記カードリーダのＩＤが前記登録部に登録されているか否かを判定する判定部と、前記登録部に登録されていなかった場合に、前記決済部での決済処理を停止する停止部と、を備える決済処理装置に接続される前記カードリーダの故障通知を受け付けた場合に、情報を他の決済処理装置に送信するステップと、前記送信に対する応答として前記他の決済処理装置から受け付けたカードリーダのＩＤを前記登録部に新たに登録するステップと、を含む処理方法である。
【００１７】
本態様によれば、処理方法は、決済処理装置に対し、カードリーダの故障通知を受け付けた場合に、情報を他の決済処理装置に送信し、送信に対する応答として他の決済処理装置から受け付けたカードリーダのＩＤを新たに登録する。
このため、処理方法では、決済処理装置において、自身に接続されているカードリーダを、他の決済処理装置で接続されて使用されるカードリーダと交換できる。
例えば、処理方法では、決済処理装置において、他の決済処理装置に接続されていた故障していないカードリーダが接続された場合に、カードリーダのＩＤを登録済みと判定し決済処理できるため、決済処理装置において、自身に接続されているカードリーダを、他の決済処理装置で接続されて使用されるカードリーダと交換できる。
【００１８】
第７の態様は、カードリーダが接続されて使用される決済処理装置であって、前記カードリーダで読み取られたカード媒体に対し、決済処理を行う決済部と、前記カードリーダのＩＤが登録される登録部と、前記カードリーダの接続を検知した場合に、前記カードリーダのＩＤが前記登録部に登録されているか否かを判定する判定部と、前記登録部に登録されていなかった場合に、前記決済部での決済処理を停止する停止部と、を備える決済処理装置のコンピュータに、前記カードリーダの故障通知を受け付けた場合に、情報を他の決済処理装置に送信するステップと、前記送信に対する応答として前記他の決済処理装置から受け付けたカードリーダのＩＤを前記登録部に新たに登録するステップと、を実行させるプログラムである。
【００１９】
本態様によれば、コンピュータにおいてプログラムが実行される決済処理装置は、カードリーダの故障通知を受け付けた場合に、情報を他の決済処理装置に送信し、送信に対する応答として他の決済処理装置から受け付けたカードリーダのＩＤを新たに登録する。
このため、コンピュータにおいてプログラムが実行される決済処理装置では、自身に接続されているカードリーダを、他の決済処理装置で接続されて使用されるカードリーダと交換できる。
例えば、コンピュータにおいてプログラムが実行される決済処理装置では、他の決済処理装置に接続されていた故障していないカードリーダが接続された場合に、カードリーダのＩＤを登録済みと判定し決済処理できるため、決済処理装置において、自身に接続されているカードリーダを、他の決済処理装置で接続されて使用されるカードリーダと交換できる。
【発明の効果】
【００２０】
上述の一態様によれば、他の決済処理装置のカードリーダと交換可能に、カードリーダのＩＤを登録できる。
【図面の簡単な説明】
【００２１】
【図１】一実施形態に係る料金収受施設の斜視図である。
【図２】一実施形態に係る決済処理装置のブロック図である。
【図３】一実施形態に係る処理方法のフローチャートである。
【図４】一実施形態に係るＩＤリストを示す図である。
【図５】一実施形態に係るＩＤリストを示す図である。
【図６】一実施形態に係るＩＤリストを示す図である。
【図７】一実施形態におけるカードリーダの交換作業を示す図である。
【図８】一実施形態に係るＩＤリストを示す図である。
【図９】一実施形態に係る決済処理装置のハードウェア構成の例である。
【発明を実施するための形態】
【００２２】
以下、本発明に係る一実施形態について、図面を用いて説明する。すべての図面において同一または相当する構成には同一の符号を付し、共通する説明は省略する。
【００２３】
＜実施形態＞
一実施形態に係る料金収受端末機について図面を参照しながら説明する。
【００２４】
（料金収受施設の全体構成）
一実施形態に係る料金収受施設の全体構成について説明する。
図１に示すように、本実施形態に係る料金収受施設２は、有料道路の入口料金所又は出口料金所において、当該有料道路を利用する車両Ａから利用料金を収受する処理（以下、「料金収受処理」とも記載する）を実行するための施設である。
【００２５】
例えば、出口料金所１０には、複数のブース８０が設けられている。
出口料金所１０に到来した車両Ａは、有料道路から退出する際、有料道路側から一般道路側へと通じる料金所車線（以下、「車線Ｌ」と称する）を走行する。
ブース８０は、車線Ｌの幅方向の少なくとも一方側に、車線Ｌに沿って敷設されているアイランドＩに設けられている。
例えば、ブース８０は、出口料金所１０に到来した車両Ａから利用料金を収受する収受員が駐在する有人ブースである。
本実施形態では、複数の車線Ｌが設けられており、各車線Ｌに沿ってブース８０が設けられている。
各ブース８０には、料金収受端末機２０が設けられている。
【００２６】
事務所Ｊは、出口料金所１０の近くに設けられる。
事務所Ｊでは、出口料金所１０の監視、及び、出口料金所１０で取得された各種情報を収集し、管理する設備である。事務所Ｊには、出口料金所１０を監視する監視員が駐在する。監視員は、事務所Ｊに設置された集計システム９０を用いて、出口料金所１０で取得され、収集された売上金額の集計処理等を行う。
他方、臨時の料金収受処理のために、事務所Ｊにも、料金収受端末機２０が設けられている。
【００２７】
各料金収受端末機２０は、決済処理装置３０とカードリーダ４０とを備える。
【００２８】
カードリーダ４０は、カード媒体からカード決済処理に必要な各種情報の読み取り及び書き込み処理を行う装置である。
例えば、収受員や監視員が運転者等よりクレジットカードによる支払いを受け付けた場合、カードリーダ４０は、カード媒体として、当該クレジットカードからカード決済処理に必要な各種情報の読み取り及び書き込み処理を行う。
なお、本実施形態において、クレジットカードとは、磁気ストライプカード、ＥＭＶ（Ｅｕｒｏｐａｙ  ＭａｓｔｅｒＣａｒｄ  Ｖｉｓａ）仕様に準拠したＩＣクレジットカード、電子式料金収受システム（ＥＴＣ：Ｅｌｅｃｔｒｏｎｉｃ  Ｔｏｌｌ  Ｃｏｌｌｅｃｔｉｏｎ  Ｓｙｓｔｅｍ（登録商標）、「自動料金収受システム」ともいう）で使用されるＥＴＣカード等を含む。
また、カードリーダ４０は、接続されている決済処理装置３０に対し、自身の（カードリーダ４０の）ＩＤを送信することができる。
また、カードリーダ４０は、自身の故障通知を接続されている決済処理装置３０に送信してもよい。
【００２９】
決済処理装置３０は、カードリーダ４０と専用線を介して接続される。
また、決済処理装置３０は、カードリーダ４０が読み取ったカード情報に基づいて、クレジットカードの種類（磁気ストライプカード、ＩＣクレジットカード、ＥＴＣカード等）に応じたカード決済処理を行って利用料金を収受する。
また、決済処理装置３０は、インターネット等のネットワークを介して上位装置と接続されている。上位装置は、例えばクレジットカード会社の決済処理用のサーバである。決済処理装置３０は、カード決済処理を行う際、ネットワークを介して上位装置とカード決済処理に係る各種情報（カード情報等）の送受信を行う。
【００３０】
（決済処理装置の構成）
図２に示すように、各決済処理装置３０は、決済部３１と、登録部３２と、判定部３３と、停止部３４と、送信部３５と、登録処理部３６と、を機能的に備える。
各決済処理装置３０は、問合部３７をさらに機能的に備えてよい。
各決済処理装置３０には、カードリーダ４０が接続されて使用される。
【００３１】
決済部３１は、カードリーダ４０で読み取られたカード媒体に対し、決済処理を行う。
【００３２】
登録部３２には、カードリーダ４０の個体を示す識別情報（ＩＤ：Ｉｄｅｎｔｉｆｉｃａｔｉｏｎ）が登録される。
以下、各種部品の個体を示す識別情報のことをＩＤという。
例えば、カードリーダ４０は、各機体固有のＩＤを有する。
本実施形態では、登録部３２には、初期設定として、自身の決済処理装置３０に接続されているカードリーダ４０のＩＤが登録される。
また、登録部３２には、登録処理部３６によって、新たなカードリーダ４０のＩＤが登録される。
【００３３】
判定部３３は、各種判定を行う。
例えば、判定部３３は、決済処理装置３０に対しカードリーダ４０の接続を検知した場合に、カードリーダ４０のＩＤが登録部３２に登録されているか否かを判定する。
本実施形態では、判定部３３は、接続を検知したカードリーダ４０のＩＤが登録部３２に登録されているか否かを判定する。
例えば、判定部３３は、カードリーダ４０が決済処理装置３０に接続される度に、登録部３２に登録されているＩＤを参照し、接続されたカードリーダ４０のＩＤが登録されているか否か判定する。
【００３４】
以下、あるブース８０に設置されている料金収受端末機２０の決済処理装置３０からみて、他の各ブース８０に設置されている料金収受端末機２０の決済処理装置３０、及び事務所Ｊに設置されている料金収受端末機２０の決済処理装置３０のことを、「他の決済処理装置３０」ともいう。
また、事務所Ｊに設置されている料金収受端末機２０の決済処理装置３０からみた場合は、各ブース８０に設置されている料金収受端末機２０の決済処理装置３０のことを、「他の決済処理装置３０」ともいう。
決済処理装置３０は、他の各決済処理装置３０と専用線、無線等を介して、通信可能に接続されている。
【００３５】
送信部３５は、カードリーダ４０の故障通知を受け付けた場合に、情報を他の決済処理装置３０に送信する。
例えば、決済処理装置３０に接続されているカードリーダ４０の故障通知を受け付けた場合に、送信部３５は、情報として、決済処理装置３０に接続されているカードリーダ４０のＩＤを、他の決済処理装置３０に送信する。
具体的には、送信部３５は、故障通知を受け付けた時に接続されていたカードリーダ４０のＩＤを他の決済処理装置３０に送信する。
【００３６】
登録処理部３６は、カードリーダ４０のＩＤの送信に対する応答として、他の決済処理装置３０から受け付けたカードリーダ４０のＩＤを登録部３２に新たに登録する。
本実施形態では、他の決済処理装置３０から応答があった場合、登録処理部３６は、応答があった他の決済処理装置３０に接続されているカードリーダ４０のＩＤを受信し、新たに追加登録する。
【００３７】
問合部３７は、他の決済処理装置３０に対し、自身の決済処理装置３０から取り外されたカードリーダ４０が接続されているか、接続されていないかの問い合わせを行う。
例えば、問合部３７は、他の各決済処理装置３０に対し、「送信部３５が送信したＩＤを有するカードリーダ４０が接続されているか否か」を問い合わせる。
例えば、問合部３７は、接続されるすべての他の決済処理装置３０に対し、問い合わせを行ってもよい。
【００３８】
停止部３４は、カードリーダ４０のＩＤが登録部３２に登録されていなかった場合に、決済部３１での決済処理を停止する。
例えば、判定部３３がカードリーダ４０のＩＤが登録部３２に登録されていないと判定した場合、停止部３４は、決済処理を停止する。
したがって、接続されたカードリーダ４０のＩＤと一致するＩＤが、登録部３２に登録されている場合のみ、決済処理装置３０は、決済処理を実施できる。
逆に、接続されたカードリーダ４０のＩＤと一致するＩＤが、登録部３２に登録されていない場合、決済処理装置３０は決済処理を開始しない。
【００３９】
さらに、停止部３４は、取り外されたカードリーダ４０が接続されていることを示す応答を他の決済処理装置３０から受け付けるまで、決済処理を停止してもよい。
本実施形態では、停止部３４は、自身の決済処理装置３０から取り外されたカードリーダ４０が、他の決済処理装置３０に接続されていることを示す応答を、他の決済処理装置３０から受け付けるまで、決済処理を停止する。
例えば、問合部３７の問い合わせ（「送信部３５が送信したＩＤを有するカードリーダ４０が接続されているか否か」の問合せ）に対する応答を、いずれかの他の決済処理装置３０から受信できるまで、停止部３４は、決済処理を停止する。
したがって、例えば故障などによりカードリーダ４０が交換された際、交換したカードリーダ４０のペアが両方とも、各決済処理装置３０に接続されるまで、各決済処理装置３０は、決済処理は行わない。
【００４０】
各決済処理装置３０は、受付部３９ａと、照合部３９ｂと、応答部３９ｃと、をさらに機能的に備えてもよい。
【００４１】
受付部３９ａは、問い合わせ元の決済処理装置３０から各種問い合わせを受け付ける。
本実施形態では、他の決済処理装置３０の受付部３９ａは、問い合わせ元である決済処理装置３０から「取り外されたカードリーダ４０が接続されているか否か」の問い合わせを受け付ける。
例えば、他の決済処理装置３０の受付部３９ａは、「取り外されたカードリーダ４０が接続されているか否か」の問い合わせとして、単に、問い合わせ元である決済処理装置３０から取り外されたカードリーダ４０のＩＤを受信するだけでもよい。
例えば、他の決済処理装置３０の受付部３９ａは、問い合わせ元である決済処理装置３０の送信部３５が送信したＩＤを受信する。
【００４２】
照合部３９ｂは、検知されたカードリーダ４０のＩＤと、問い合わせ元である決済処理装置３０から取り外されたカードリーダ４０のＩＤと、を照合する。
例えば、他の決済処理装置３０の照合部３９ｂは、自身の決済処理装置３０において検知されたカードリーダ４０のＩＤと、問い合わせ元である決済処理装置３０の送信部３５から送信されたＩＤと、を照合する。
【００４３】
応答部３９ｃは、問い合わせ元である決済処理装置３０に対し各種応答を送信する。
本実施形態では、他の決済処理装置３０の応答部３９ｃは、問い合わせ元である決済処理装置３０に対し、問い合わせに対する応答を送信する。
例えば、他の決済処理装置３０の応答部３９ｃは、問い合わせ元である決済処理装置３０からの「取り外されたカードリーダ４０が接続されているか否か」の問い合わせに対し応答する。
例えば、他の決済処理装置３０の応答部３９ｃは、照合部３９ｂにおける照合の結果、ＩＤが一致したら、「取り外されたカードリーダ４０が接続されている」旨応答をする。
【００４４】
各決済処理装置３０は、表示部３９ｐをさらに機能的に備える。
表示部３９ｐは、収受員、監視員、保守員等に情報を表示する。
また、表示部３９ｐには、収受員、監視員、保守員等による入力を受け付けるタッチパネルが設けられている。
【００４５】
（動作）
各決済処理装置の動作について説明する。
各決済処理装置は、以下の処理方法にて動作する。
例えば、図３に示すように、あるブース８０に設けられた料金収受端末機２０のカードリーダ４０が故障したとする（ＳＴ０１）。このとき、カードリーダ４０は、各種情報の読み取り及び書き込み処理に支障があるが、接続されている決済処理装置３０との通信には支障がない程度に故障したものとする。
以下、あるブース８０に設けられている決済処理装置３０（カードリーダ４０が故障した決済処理装置３０）を単に決済処理装置３０という。
【００４６】
例えば、決済処理装置３０は、登録部３２にＩＤリストＬＴを格納していてもよい。
決済処理装置３０は、初期設定として、図４に示すようなＩＤリストＬＴを格納している。
すなわち、決済処理装置３０は、他の決済処理装置３０を含む決済処理装置３０の各ＩＤと、接続されているカードリーダ４０の各ＩＤと、が関連付けたＩＤリストＬＴを格納している。
【００４７】
ＳＴ０１の実施に続いて、故障したカードリーダ４０は、収受員、監視員、保守員等（以下、収受員等という。）によって、決済処理装置３０から取り外される（ＳＴ０２）。
【００４８】
ＳＴ０２の実施に続いて、カードリーダ４０の故障確定処理が実施される（ＳＴ０３）。本実施形態では、決済処理装置３０の表示部に設けられたタッチパネルの故障確定ボタンを、収受員等の判断により押されることで、決済処理装置３０において、故障確定処理が実施される。
このとき、決済処理装置３０は、登録部３２に格納されているＩＤリストＬＴを更新してもよい。
例えば、決済処理装置３０は、ＩＤリストＬＴに、取り外されたカードリーダ４０のＩＤを交換候補カードリーダＩＤとして追加する。決済処理装置３０は、図５に示すように、ＩＤリストＬＴに、交換候補カードリーダＩＤとして、取り外されたカードリーダ４０のＩＤを、他の決済処理装置３０の各ＩＤに関連付けて追加する。
【００４９】
ＳＴ０３の実施に続いて、決済処理装置３０は、決済処理を停止し、カードリーダ４０の故障通知を他の決済処理装置３０に通知する（ＳＴ０４）。
本実施形態では、決済処理装置３０に接続されているすべての他の決済処理装置３０に故障通知を通知する。
【００５０】
ＳＴ０４の実施に続いて、他の決済処理装置３０は、交換対象のカードリーダ４０のＩＤとして、通知元である決済処理装置３０から取り外されたカードリーダ４０のＩＤを受信する（ＳＴ０５、ＳＴ０６）。
【００５１】
ＳＴ０５、ＳＴ０６の実施に続いて、決済処理装置３０は、応答があった他の決済処理装置３０に接続されているカードリーダ４０のＩＤを受信し（ＳＴ０７）、新たに登録する（ＳＴ０８）。
このとき、決済処理装置３０は、登録部３２に格納されているＩＤリストＬＴを更新してもよい。
例えば、決済処理装置３０は、ＩＤリストＬＴに、応答があった他の決済処理装置３０に接続されているカードリーダ４０のＩＤを交換候補カードリーダＩＤとして追加する。
すなわち、決済処理装置３０は、通信できたカードリーダ４０のＩＤを交換候補として追加できる。
決済処理装置３０は、図６に示すように、ＩＤリストＬＴに、交換候補カードリーダＩＤとして、応答があった他の決済処理装置３０に接続されているカードリーダ４０のＩＤを、自身の決済処理装置３０のＩＤに関連付けて追加する。
【００５２】
ＳＴ０８の実施に続いて、収受員等は、故障したカードリーダ４０と、交換候補のカードリーダ４０のうちいずれかのカードリーダ４０と、を交換し、交換後のカードリーダ４０を各決済処理装置３０に接続する（ＳＴ０９、ＳＴ１０）。
例えば、図７に示すように、あるブース８０に設置されている決済処理装置３０に接続されていたカードリーダ４０が故障した場合、収受員等は、故障しているカードリーダ４０と、事務所Ｊに設置されている決済処理装置３０のカードリーダ４０と、を交換する。このとき、各決済処理装置３０は、交換されて接続されたカードリーダ４０からカードリーダ４０のIＤを取得する。
【００５３】
ＳＴ０９、ＳＴ１０の実施に続いて、収受員等は、決済処理装置３０を復帰させる（ＳＴ１１）。
本実施形態では、決済処理装置３０の表示部に設けられたタッチパネルの復帰ボタンを、収受員等の判断により、収受員等が押下することで、決済処理装置３０は復帰する。
【００５４】
ＳＴ１１の実施に続いて、決済処理装置３０及び他の決済処理装置３０は、登録部３２に格納されているＩＤリストＬＴを更新する（ＳＴ１２、ＳＴ１３）。
本実施形態では、決済処理装置３０及び他の決済処理装置３０は、ＩＤリストＬＴを更新する。
すなわち、各決済処理装置３０は、決済処理装置３０の各ＩＤと、交換後において接続されているカードリーダ４０の各ＩＤとを関連付けるように、ＩＤリストＬＴを更新する。
【００５５】
例えば、決済処理装置３０は、ＩＤリストＬＴのうち、自身のＩＤと、交換後に自身に接続されているカードリーダ４０のＩＤとを関連付けるように、ＩＤリストＬＴを更新し、更新したＩＤリストＬＴを、カードリーダ４０を交換した相手の他の決済処理装置３０（以下、交換対象ペアともいう。）に通知する（ＳＴ１２）。
交換対象ペアは、ＩＤリストＬＴのうち、自身のＩＤと、交換後に自身に接続されているカードリーダ４０のＩＤとを関連付けるように、ＩＤリストＬＴを更新し、格納する（ＳＴ１３）。交換対象ペアは、さらに、更新したＩＤリストＬＴを再び、通知元である決済処理装置３０に通知する。
【００５６】
ＳＴ１３の実施に続いて、決済処理装置３０は、交換対象ペア以外の他の決済処理装置３０にＩＤリストＬＴを更新可能か否か問い合わせる（ＳＴ１４）。
なお、本実施形態において、交換対象ペア以外の他の決済処理装置３０は、未故障のカードリーダに接続されている。
【００５７】
ＳＴ１４の実施に続いて、交換対象ペア以外の他の決済処理装置３０は、ＩＤリストＬＴを更新が可能か判定する（ＳＴ１５）。
ＩＤリストＬＴの更新が不可能な場合（ＳＴ１５：ＮＯ）、交換対象ペア以外の他の決済処理装置３０は、問合わせ元である決済処理装置３０に所定時間待つように指示する。例えば、交換対象ペア以外の他の決済処理装置３０は、問合わせ元である決済処理装置３０に３０秒待つように指示する。ここで所定時間が３０秒であることは一例であり、所定時間は３０秒を超える時間であってもよいし、３０秒未満であってもよい。
問合わせ元である決済処理装置３０は、所定時間待つ（ＳＴ１６）。
ＩＤリストＬＴを更新が可能となったら（ＳＴ１５：ＹＥＳ）、交換対象ペア以外の他の決済処理装置３０は、更新可能な旨を問合わせ元である決済処理装置３０に通知する。
【００５８】
決済処理装置３０は、交換対象ペア以外の他の決済処理装置３０から更新可能な旨の通知を受けると、更新可能と判断（ＳＴ１７）し、更新されたＩＤリストＬＴを、交換対象ペア以外の決済処理装置３０に通知する。
【００５９】
ＳＴ１７の実施に続いて、交換対象ペア以外の他の決済処理装置３０は、ＩＤリストＬＴのうち、自身のＩＤと、自身に接続されているカードリーダ４０のＩＤとを関連付けるように、ＩＤリストＬＴを更新し、格納する（ＳＴ１８）。
【００６０】
ＳＴ１８の実施に続いて、交換対象ペア以外の他の決済処理装置３０は、更新したＩＤリストＬＴを再び、通知元である決済処理装置３０に通知する。
決済処理装置３０は、図８に示すように更新されたＩＤリストＬＴを格納し、決済処理の停止を解除する（ＳＴ１９）。
このとき、決済処理装置３０は、停止部３４によって、接続されているカードリーダ４０のＩＤが登録部３２に登録されていなかった場合、決済部３１での決済処理を停止する。
さらに、決済処理装置３０は、停止部３４によって、取り外されたカードリーダ４０が接続されていることを示す応答を他の決済処理装置３０から受け付けるまで、決済処理を停止する。
すなわち、決済処理装置３０は、交換して接続されたカードリーダ４０のＩＤが登録部３２に登録されていると共に、取り外されたカードリーダ４０が他の決済処理装置３０に接続されると、決済処理の停止を解除する。
【００６１】
（作用及び効果）
本実施形態の決済処理装置３０は、カードリーダ４０の故障通知を受け付けた場合に、情報を他の決済処理装置３０に送信し、送信に対する応答として他の決済処理装置３０から受け付けたカードリーダ４０のＩＤを新たに登録する。
このため、決済処理装置では、自身に接続されているカードリーダを、他の決済処理装置で接続されて使用されるカードリーダと交換できる。
例えば、決済処理装置３０では、他の決済処理装置３０に接続されていた故障していないカードリーダ４０が接続された場合に、カードリーダ４０のＩＤを登録済みと判定し決済処理できるため、自身に接続されているカードリーダ４０を、他の決済処理装置３０で接続されて使用されるカードリーダ４０と交換できる。
【００６２】
一般に、料金収受端末機には、カード情報を読み取るカードリーダと決済処理を実施する決済処理装置が分かれているものがある。このような料金収受端末機は、不正改造されたカードリーダと既設のカードリーダとを置き換えることで、個人情報を抜き取る攻撃にさらされるリスク（「不正改造機接続リスク」）を持つ。
このため、料金収受施設内の料金収受端末機が、カードリーダと決済処理装置が分かれたタイプである場合、不正改造機接続リスクに対するセキュリティ対策が施されることが望ましい。
料金収受施設内の料金収受端末機の決済処理装置は、接続するカードリーダの機種さえ合っていれば不正改造されたものであっても決済処理が可能である。このため、あらかじめ、決済処理装置に接続するカードリーダをＩＤで管理しておけば、想定外のカードリーダの接続をブロックすることができる。
しかし、料金収受施設内では以下に示す特殊な事情があり、接続可能なカードリーダを一意に決めることが出来ない。
すなわち、料金収受施設内の料金収受端末機は、事務所に設置される料金収受端末機のカードリーダと、ブース内の料金収受端末機のカードリーダが共通である。このため、使用頻度の高いブース用カードリーダと使用頻度の低い事務所のカードリーダとを交換することで、保守員が現場に到着するまで一時的に対処するという事情がある。この故障の対処は、車線を止めることなくカードリーダの故障対応ができるため、非常に重宝である。
これに対し、本実施形態の決済処理装置３０は、上述のとおり他の決済処理装置３０のカードリーダ４０と交換可能に、カードリーダ４０のＩＤを登録できる。
このため、本実施形態の決済処理装置３０では、不正改造機接続リスクに対するセキュリティ対策が可能でありながら、ブース８０内のカードリーダ４０と事務所Jのカードリーダ４０とを交換することができる。
【００６３】
カードリーダ部のみ故障する事象に対処するには、決済処理装置において、カードリーダ部のみ交換できる機構とすることが望まれる。
しかし、もし、決済処理装置に登録されているカードリーダのＩＤでカードリーダの交換を管理するだけだと、例えば以下のような課題が生じる。
すなわち、保管されている予備機のユニットを管理することはできず、保管されている予備機の不正改造を監視できない。
このため、カードリーダのユニットを、不正改造をさせないために、予備機のユニットも稼働状態で常時監視するか、金庫等で保管する必要がある。
これに対し、本実施形態の決済処理装置３０では、自身に接続されているカードリーダ４０を、他の決済処理装置３０で接続されて使用されるカードリーダ４０と交換できる。
例えば、本実施形態の決済処理装置３０では、故障等が生じたブース８０内のカードリーダ４０を、使用頻度の低い事務所Jのカードリーダ４０と交換できる。
したがって、本実施形態の決済処理装置３０によれば、必ずしも予備機を保管しておく必要がなく、決済処理装置３０間で使用中のカードリーダ４０を交換できるため、このような課題を解決することも可能となる。
【００６４】
また、本実施形態では、送信部３５が、情報として、決済処理装置３０に接続されているカードリーダ４０のＩＤを他の決済処理装置３０に送信することにより、決済処理装置３０は、他の決済処理装置３０に対し、自身の決済処理装置３０から取り外されたカードリーダ４０が接続されているか、否かを確認することができる。
【００６５】
また、本実施形態の決済処理装置３０は、取り外されたカードリーダ４０が他の決済処理装置３０に接続されるまで、決済処理を停止する。
このため、決済処理を再開するためには取り外されたカードリーダ４０が他の決済処理装置３０に接続される必要があるので、取り外されたカードリーダ４０は、放置されることが無い。
したがって、決済処理装置３０は、カードリーダ４０の不正改造を抑制できる。
【００６６】
例えば、決済処理装置３０は、交換されたカードリーダのペアが、両方とも料金収受施設２内の決済処理装置３０に接続されたことを検知した段階で初めて決済可能にする。このため、取り外されたカードリーダ４０が、料金収受施設２内で放置されることを防ぐことができる。
したがって、カードリーダ４０故障後、交換されたカードリーダが放置されてその隙に不正改造されるリスクを防ぐことができる。
【００６７】
他方、本実施形態の決済処理装置３０は、交換されたカードリーダがいずれも、料金収受施設内のいずれかの決済処理装置３０に接続される方式であるため、交換用の予備機を余分に準備しなくてもよい。
このため、料金収受施設内のカードリーダ４０の台数を、ブース内の料金収受端末機２０の台数＋事務所内の料金収受端末機２０の台数に制約することができ、余るカードリーダ４０を存在させなくすることもできる。
したがって、カードリーダ４０の予備機を持せなくてもよく、接続されるカードリーダ４０の台数を料金収受施設内に限らせることができる。
【００６８】
また、本実施形態の決済処理装置３０は、各カードリーダ４０のＩＤによって、現在接続されているカードリーダ４０が、他の決済処理装置３０から取り外されたカードリーダ４０か否かを照合できる。
このため、決済処理装置３０は、簡単に、取り外されたカードリーダ４０が接続されているか否かを確認することができる。
【００６９】
本実施形態では、故障確定ボタンを、収受員等の判断により押されることで、故障確定処理が実施され故障通知を通知しているが、故障確定処理は、どのように行なわれてもよい。
変形例として、カードリーダ４０がセルフチェックにより故障確定処理を行ってもよい。その際、決済処理装置３０はカードリーダ４０からセルフチェックの結果を取得する。
他の変形例として、決済処理装置３０が自身に接続されているカードリーダ４０の故障を診断して、故障確定処理を行ってもよい。
【００７０】
本実施形態では、登録部３２には、初期設定として、自身の決済処理装置３０に接続されているカードリーダ４０のＩＤが登録されるが、他のＩＤが登録されていてもよい。
変形例として、登録部３２には、自身の決済処理装置３０に接続されているカードリーダ４０のＩＤに加えて、初期設定として、接続される可能性のあるカードリーダ４０のＩＤのすべてが事前に登録されていてもよい。
他の変形例として、故障時に交換して接続される可能性のあるカードリーダ（＝「料金収受施設に保管されているすべてのカードリーダ」）を、初期設定として決済処理装置３０に登録部３２に事前に登録させておいてもよい。その場合、決済処理装置３０は、同一料金収受施設に有るカードリーダならば、自由に交換できるうえ、それ以外のカードリーダの接続はブロックできる。
【００７１】
本実施形態では、決済処理装置３０は、停止部３４によって決済処理を停止しているが、他の機能を有してもよい。
変形例として、決済処理装置３０は、停止部３４によって決済処理を停止した場合に、警告を出力してもよい。警告の出力は、表示部３９ｐへの警告表示や音声による警告音等であってもよい。
【００７２】
本実施形態の決済処理装置３０は、例えば、特開２００６−２２７９４０号公報に開示されている料金収受装置に適用されてもよい。
【００７３】
本実施形態では、送信部３５は、カードリーダ４０の故障通知を受け付けた場合に、情報として、決済処理装置３０に接続されているカードリーダ４０のＩＤを、他の決済処理装置３０に送信するが、送信部３５は、どのような情報を送信してもよい。
変形例として、送信部３５は、カードリーダ４０の故障通知を受け付けた場合に、情報として、通知、指令、信号等を、他の決済処理装置３０に送信してもよい。
【００７４】
なお、上述の実施形態においては、決済処理装置３０の各種機能を実現するためのプログラムを、コンピュータ読み取り可能な記録媒体に記録して、この記録媒体に記録されたプログラムをマイコンといったコンピュータシステムに読み込ませ、実行することにより各種処理を行うものとしている。ここで、コンピュータシステムのＣＰＵの各種処理の過程は、プログラムの形式でコンピュータ読み取り可能な記録媒体に記憶されており、このプログラムをコンピュータが読み出して実行することによって上記各種処理が行われる。また、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００７５】
上述の実施形態において、決済処理装置３０の各種機能を実現するためのプログラムを実行させるコンピュータのハードウェア構成の例について説明する。
図９に示すように、決済処理装置３０が備えるコンピュータは、ＣＰＵ（Ｃｅｎｔｒａｌ  Ｐｒｏｃｅｓｓｉｎｇ  Ｕｎｉｔ）３０１と、メモリ３０２と、記憶／再生装置３０３と、ＩＯ  Ｉ／Ｆ（Ｉｎｐｕｔ  Ｏｕｔｐｕｔ  Ｉｎｔｅｒｆａｃｅ）３０４と、通信Ｉ／Ｆ（Ｉｎｔｅｒｆａｃｅ）３０５と、を備える。
【００７６】
メモリ３０２は、決済処理装置３０で実行されるプログラムで使用されるデータ等を一時的に記憶するＲＡＭ（Ｒａｎｄｏｍ  Ａｃｃｅｓｓ  Ｍｅｍｏｒｙ）等の媒体である。
記憶／再生装置３０３は、ＣＤ−ＲＯＭ、ＤＶＤ、フラッシュメモリ等の外部メディアへデータ等を記憶したり、外部メディアのデータ等を再生したりするための装置である。
ＩＯ  Ｉ／Ｆ３０４は、決済処理装置３０と他の装置との間で情報等の入出力を行うためのインタフェースである。
通信Ｉ／Ｆ３０５は、インターネット、専用通信回線等の通信回線を介して、他の装置（例えば、クレジットカード会社の決済処理用のサーバである上位装置）との間で通信を行うインタフェースである。
【００７７】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００７８】
１０  出口料金所
２０  料金収受端末機
３０  決済処理装置
３１  決済部
３２  登録部
３３  判定部
３４  停止部
３５  送信部
３６  登録処理部
３７  問合部
３９ａ  受付部
３９ｂ  照合部
３９ｃ  応答部
３９ｐ  表示部
４０  カードリーダ
８０  ブース
９０  集計システム
３０１  ＣＰＵ
３０２  メモリ
３０３  記憶／再生装置
３０４  ＩＯ  Ｉ／Ｆ
３０５  通信Ｉ／Ｆ
Ａ  車両
Ｉ  アイランド
Ｊ  事務所
Ｌ  車線
ＬＴ  ＩＤリスト
【図１】
2020154541.tif 000003
【図２】
2020154541.tif 000004
【図３】
2020154541.tif 000005
【図４】
2020154541.tif 000006
【図５】
2020154541.tif 000007
【図６】
2020154541.tif 000008
【図７】
2020154541.tif 000009
【図８】
2020154541.tif 000010
【図９】
2020154541.tif 000011